(57)【要約】【課題】洗浄装置本体を洗浄装置本体の重さと略均衡させて吊下げ、作業労力を軽減し、作業性を向上して浴槽の内壁を洗浄することができる、電動式浴槽洗浄装置を提供する。【解決手段】装置本体１を浴槽Ｂの内壁Ｂｂに押圧して洗浄する電動式浴槽洗浄装置において、装置本体１は、浴槽Ｂの内壁Ｂｂに押圧して洗浄する洗浄手段と、この洗浄手段を回転駆動させるための駆動手段と、装置本体１を定荷重で保持する保持手段とを備え、保持手段は、装置本体１が何れの高さ位置にあっても、装置本体１の重さと略均衡して保持するように構成されている。【選択図】図２
2009119208.tif 000002
【特許請求の範囲】
【請求項１】
装置本体を浴槽の内壁に押圧して洗浄する電動式浴槽洗浄装置であって、
上記装置本体は、上記浴槽の内壁に押圧して洗浄する洗浄手段と、
この洗浄手段を回転駆動させるための駆動手段と、
上記装置本体を定荷重で保持する保持手段とを備え、
上記保持手段は、上記装置本体が何れの高さ位置にあっても、上記装置本体の重さと略均衡して保持するように構成されていることを特徴とする電動式浴槽洗浄装置。
【請求項２】
上記保持手段は、巻取ドラムに密着して巻き付けた帯板を引出した長さに係らず常に略一定の荷重を吊下げて支える吊下げ装置により、上記装置本体の重さと略均衡して保持するように構成されることを特徴とする請求項１に記載の電動式浴槽洗浄装置。
【請求項３】
上記吊下げ装置は、定荷重ばね機構で構成され、上記浴槽の上縁面に掛けて横移動可能に吊下げられるとともに、上記装置本体と着脱自在に結合されることを特徴とする請求項１または請求項２に記載の電動式浴槽洗浄装置。
【請求項４】
上記保持手段は、巻取ドラムの回転動作と、この巻取ドラムに巻き付けた帯板の送り出し動作を連動させて、この帯板を送出した長さに係らず常に略一定の荷重を押上げて支える押上げ装置により、上記装置本体の重さと略均衡して保持するように構成されることを特徴とする請求項１に記載の電動式浴槽洗浄装置。
【発明の詳細な説明】
【発明の詳細な説明】
【技術分野】
【０００１】  本発明は、一般家庭の浴槽の内壁を洗浄する電動式浴槽洗浄装置に関するものである。
【背景技術】
【０００２】  従来、一般家庭の浴槽を洗浄する際は、洗浄用のブラシやスポンジ等を使用して手作業で行っていたが、この洗浄作業は、腰を曲げながらの無理な姿勢で浴槽の表面を擦り洗いしなければならないので、かなりの重労働であった。そこで、近年では、作業者の労力を軽減できる容易な作業で迅速に浴槽表面を洗浄することのできる電動式の浴槽洗浄装置（例えば、特許文献１参照）が知られている。【０００３】  上記浴槽洗浄装置は、握持可能な把手を有する合成樹脂製ケーシングと、ケーシング内に収納された駆動モータおよび減速機構と、ケーシングの先端側に取付けられた長尺のパイプと、長尺のパイプに内装されると共に、減速機構の駆動軸に連結された長尺の回転シャフトと、回転シャフトの先端に取付けられた合成樹脂製の洗浄ブラシとから構成されている。【０００４】  この浴槽洗浄装置は、一方の手でケーシングの把手を握持し、且つ他方の手で補助把手を握って装置を保持し、スイッチの操作により、駆動モータの回転が減速機構および回転シャフトを介して洗浄ブラシに伝達される。作業者は、洗剤を塗布した浴槽の表面に回転している洗浄ブラシを押圧させながら浴槽表面の洗浄を行うものとなっている。【０００５】
【特許文献１】実用新案登録第３０３２５６６号公報
【発明の開示】
【発明が解決しようとする課題】
【０００６】  上記浴槽洗浄装置は、長尺のパイプの先端に電動で回転する洗浄ブラシを備えていることから、腰を曲げたりすることなく楽な姿勢で浴槽を洗浄できるので、ブラシやスポンジ等を使用した手作業に比較して、洗浄作業の労力を軽減できるものである。しかしながら、上記浴槽洗浄装置は、電源装置、駆動モータおよび減速機構などの比較的重量の大きい構成要素がケーシング内に収納されており、洗浄作業では、重量の大きいケーシングを握持しながら長尺のパイプの先端の洗浄ブラシを浴槽の表面に押圧させるので、装置の重さを支えながらのため作業労力に負担が掛かり、また、洗浄ブラシの浴槽表面での移動を思い通りに操作し難い欠点があり、作業性が悪く、使い勝手の悪いものである。【０００７】  本発明の主たる目的は、洗浄装置本体を洗浄装置本体の重さと略均衡させて吊下げ、作業労力を軽減し、作業性を向上して浴槽の内壁を洗浄することができる、電動式浴槽洗浄装置を提供することである。【０００８】  請求項１に係る発明は、装置本体を浴槽の内壁に押圧して洗浄する電動式浴槽洗浄装置において、上記装置本体は、上記浴槽の内壁に押圧して洗浄する洗浄手段と、この洗浄手段を回転駆動させるための駆動手段と、上記装置本体を定荷重で保持する保持手段とを備え、上記保持手段は、上記装置本体が何れの高さ位置にあっても、上記装置本体の重さと略均衡して保持するように構成されていることを特徴とするものである。【０００９】  請求項２に係る発明は、請求項１に記載の電動式浴槽洗浄装置において、上記保持手段は、巻取ドラムに密着して巻き付けた帯板を引出した長さに係らず常に略一定の荷重を吊下げて支える吊下げ装置により、上記装置本体の重さと略均衡して保持するように構成されるものである。【００１０】  請求項３に係る発明は、請求項１または請求項２に記載の電動式浴槽洗浄装置において、上記吊下げ装置は、定荷重ばね機構で構成され、上記浴槽の上縁面に掛けて横移動可能に吊下げられるとともに、上記装置本体と着脱自在に結合されるものである。【００１１】  請求項４に係る発明は、請求項１に記載の電動式浴槽洗浄装置において、上記保持手段は、巻取ドラムの回転動作と、この巻取ドラムに巻き付けた帯板の送出し動作を連動させて、この帯板を送出した長さに係らず常に略一定の荷重を押上げて支える押上げ装置により、上記装置本体の重さと略均衡して保持するように構成されるものである。
【発明の効果】
【００１２】  上記請求項１に係る発明によれば、浴槽の内壁に押圧して洗浄する装置本体は、洗浄手段と、駆動手段と、装置本体を定荷重で保持する保持手段とを備え、上記保持手段は、上記装置本体が何れの高さ位置にあっても、上記装置本体の重さと略均衡して保持するように構成されているので、洗浄作業時に装置本体の重さと均衡させ、装置本体の重さが軽減されて、これにより作業労力が軽減され、作業性を向上させることができる。【００１３】  請求項２に係る発明においては、保持手段は、巻取ドラムに密着して巻き付けた帯板を引出した長さに係らず常に略一定の荷重を吊下げて支える吊下げ装置により、装置本体の重さと略均衡して保持されるように構成されているので、装置本体を簡単な構成で装置本体の重さと均衡して吊下げて保持できる。【００１４】  請求項３に係る発明においては、吊下げ装置は、定荷重ばね機構で構成され、浴槽の上縁面に掛けて横移動可能に吊下げられるとともに、装置本体と着脱自在に結合されているので、装置本体は、装置本体の重さと均衡して上下左右方向自在に移動させることができる。また、装置本体と保持手段は着脱自在に結合されているので、分離すれば装置本体を単独で洗浄装置として使用することも可能となる。【００１５】  請求項４に係る発明においては、保持手段は、巻取ドラムの回転動作と、この巻取ドラムに巻き付けた帯板の送出し動作を連動させて、この帯板を送出した長さに係らず常に略一定の荷重を押上げて支える押上げ装置により、装置本体の重さと略均衡して保持されるように構成されているので、装置本体を簡単な構成で装置本体の重さと均衡して押上げて保持できる。
【発明を実施するための最良の形態】
【実施例１】
【００１６】  図１は、本発明に係る電動式浴槽洗浄装置の実施形態の一例を示す一部破断の正面図解図であり、図２は、図１の線ＩＩ−ＩＩにおける矢視断面図解図である。図３および図５は、図１および図２に示す電動式浴槽洗浄装置の把持柄を根元から表示しない状態で示す要部破断の説明図解図であり、いずれも使用状態を説明する一部破断の正面図解図である。図４は、図３の線ＩＩＩ−ＩＩＩにおける矢視断面図解図であり、図６は、図５の線ＩＶ−ＩＶにおける矢視断面図解図である。図７は、図１および図２に示す電動式浴槽洗浄装置の使用状態を示す斜視図解図である。この実施形態例［実施例１］に係る電動式浴槽洗浄装置は、例えば一般家庭の浴槽を洗浄するときに使用されるもので、浴槽の上縁面に定荷重ばね機構で構成された吊下げ装置を掛けて横移動可能に吊下げると共に、装置本体の重さと略均衡して保持し、浴槽の内壁に押圧して洗浄するもある。【００１７】  この電動式浴槽洗浄装置は、たとえば図１〜図７に示すように、洗浄手段、駆動手段を含む装置本体１と、この装置本体１を吊下げる保持手段としての吊下げ装置２とで構成している。後述するように、装置本体１と吊下げ装置２を結合した状態で、吊下げ装置２を浴槽Ｂの上縁面Ｂａに掛けて装置本体１を吊下げる。この装置本体１には、浴槽Ｂの内壁Ｂｂを押圧して洗浄する洗浄手段と、洗浄手段を回転駆動させる駆動手段と、装置本体１を吊下げ装置２により吊下げて保持する保持手段を備えている。また、吊下げ装置２は、定荷重ばねの作用により、装置本体１を吊下げる長さが変わっても装置本体１の重さと略均衡して吊下げられるように設計されている。【００１８】  装置本体１は、円板状の台枠３の背面中央部に水密構造体のケース４を設け、このケース４の内部には、たとえば図２に示すように、駆動源としてのたとえば減速機付のＤＣモータ５と、このＤＣモータ５を駆動するための電源である電池６を収納している。このＤＣモータ５の駆動軸５ａは、ケース４の内部から水密性を保つオイルシール７を介して正面外部に突出している。駆動軸５ａの先端部には、この駆動軸５ａと同心軸で台枠３より大径円板状で回転体の洗浄ブラシ８が着脱自在に取り付けられている。この洗浄ブラシ８は中心部を空洞とし、最前面に洗浄効果の高い不織布によるブラシ部８ａと、中間部に弾力性のあるスポンジ８ｂおよび最後面の台板８ｃ重ねて同径で貼り合せ、更に、中心部に駆動軸５ａと着脱自在（図示せず）に固定するための固定板８ｄを設け、一体的に形成したものである。【００１９】  台枠３の背面には、斜め上方の後方に伸びた把持柄９が設けられている。この把持柄９は、内部が空洞の柄パイプ９ａの一端が台枠３に水密に接続され、他端の先端部は把持可能な把持部９ｂに水密に接続されている。この把持部９ｂには、ＤＣモータ５の駆動を開閉するスイッチ９ｃが防水的に取付けられ、柄パイプ９ａ内を通して結線されている。【００２０】  つぎに、吊下げ装置２は、たとえば図２に示すように、底面が開広した箱状のケース２１の内部に、装置本体１を定荷重で吊下げる定荷重ばね機構２２と、ケース２１を横移動自在に摺動抵抗を少なくして移動させられるローラ２５が設けられている。この定荷��ばね機構２２は、薄帯状の板ばねを所定の巻直径で成形された帯板２３を巻取ドラム２４に密着して巻き付け、帯板２３を引出した長さに係らず常に略一定の荷重を吊下げて保持する定復元力作用を有している。巻取ドラム２４は、ケース２１の両側壁に固定された支軸２１ａに回転自在に取付けられている。このローラ２５には、外周面に軟質ゴム等の摩擦抵抗の大きいものを貼り合せて一体的に形成している。また、ローラ２５は、ケース２１の背面側壁に固定された支軸２１ｂに回転自在に設けられている。【００２１】  帯板２３の巻き終り先端部には、クランク形状で平帯板の結合板２６が固着されている。この結合板２６の先端部には、図３〜図６に示すように、装置本体１と着脱自在に結合させるためのロック機構部２７が設けられている。このロック機構部２７には、結合板２６の先端中心部に設けた角長孔２６ａ内に、板厚が結合板２６と略同じであるスライド板２７ａが嵌め込まれている。このスライド板２７ａの上端部には、押ボタン２７ｂが固着され、押ボタン２７ｂはスライド板２７ａと共に一体的に上下にスライド可能で、外れ防止されて設けられている（図示せず）。また、図２に示すように、スライド板２７ａは、板ばね２７ｃにより常時上方向に付勢されている。この状態のとき、結合板２６の角長孔２６ａの下端孔部と、スライド板２７ａの下端部の隙間で角孔部２６ｂが形成されている。【００２２】  また、結合板２６の他端部は、図２に示すように、定荷重ばね機構２２の帯板２３の巻き込み最終段階で、帯板２３と結合板２６との固着部において、結合板２６が平板状に延長されており、ケース２１内部の凸片２１ｃと凸壁２１ｄとの隙間に嵌まり込み、さらに棒２１ｅとの隙間で規制されて保持される。このとき、帯板２３の巻き込みも停止させられる。【００２３】  ロック機構部２７は、図２に示すように、通常の使用状態で結合板２６が装置本体１と結合状態のときは、結合板２６の角孔部２６ｂが、装置本体１のフック機構部１０に係止され、結合が保持される。このフック機構部１０は、図３〜図６にも示すように、装置本体１の台枠３の背面側の上部中心部に、結合板２６の先端部を挿し込んで保持する平角溝穴状の保持穴３ａが設けられている。また、台枠３の前面より、薄板ばね材で先端がフック形状に成形されたフックばね２８のフック部２８ａが台枠３の保持穴３ａまで貫通するようにして、フックばね２８の他端部を固定して取付けられている。また、フックばね２８の先端部は勾配面２８ｂとされている。したがって、フック部２８ａは、結合板２６の角孔部２６ｂに嵌まり込み結合される。このようにして、結合板２６は、装置本体１の保持穴３ａに結合され、保持される。【００２４】  ここで、図４に示すように、ロック機構部２７の押ボタン２７ｂを矢印Ａ方向に押すと、結合板２６の角長孔２６ａ内のスライド板２７ａは角長孔２６ａ内を下方向に押し下げられ、スライド板２７ａの下端でフックばね２８の勾配面２８ｂを摺動しながらフックばね２８を押出して、角長孔２６ａの下端に移動する。このとき、角長孔２６ａの下端の角孔部２６ｂが塞がれ、フックばね２８のフック部２８ａは角孔部２６ｂに嵌まり込み、結合が解除され、結合板２６は保持穴３ａから引き抜くことが可能となる。したがって、装置本体１と吊下げ装置２を分離させることができる。【００２５】  また、図５および図６に示すように、装置本体１と吊下げ装置２が分離されているとき、装置本体１の保持穴３ａに、吊下げ装置２の結合板２６を矢印ＡＡ方向に押して挿し込めば、図２に示す状態となり、結合板２６の角孔部２６ｂにフックばね２８のフック部２８ａが嵌まり込み、装置本体１と吊下げ装置２は結合される。【００２６】  したがって、装置本体１のフック機構部１０と、吊下げ装置２のロック機構部２７は着脱自在に結合される。結合されたときは、装置本体１を吊下げ装置２により装置本体が何れの高さ位置にあっても、装置本体の重さと略均衡して保持される。また、結合を解除して分離されたときは、装置本体１を単独で使用することも可能となる。【００２７】  洗浄ブラシ８は、台板にポリプロピレン等の樹脂製のブラシ毛を植毛して回転円板状に形成したものであってもよい。また、把持柄９は、装置本体１との取付け部で折り曲げ自在に設ければ、洗浄作業性がさらに良くなる。また、ＤＣモータ５に換えてステッピングモータ等を採用してもよいことは勿論である。さらに、電源は外部から配線により供給するようにしてもよい。【００２８】  次に、本実施形態例に係る電動式浴槽洗浄装置の作用について説明する。
すなわち、本実施形態例［実施例１］では、図１〜図７に示すように、装置本体１と吊下げ装置２を結合した状態で、装置本体１の把持柄９の把持部９ｂを把持して洗浄ブラシ８を浴槽Ｂの内壁Ｂｂに当接させながら、吊下げ装置２のケース２１を浴槽Ｂの上縁面Ｂａに掛けて吊るす。つぎに、把持部９ｂのスイッチ９ｃをオンとすると、ＤＣモータ５が回転を開始し、ＤＣモータ５の駆動軸５ａに取付けられた洗浄ブラシ８の回転が開始する。【００２９】  装置本体１は、吊下げ装置２の定荷重ばね機構２２の作用により、装置本体１の重さと略均衡して吊下げて保持しているため、装置本体１の洗浄ブラシ８の吊下げる位置は、内壁Ｂｂ面の任意の位置に当接させてよい。ここで、吊下げ装置２のケース２１内に収納された定荷重ばね機構２２の帯板２３は、引出された長さに係らず定荷重で引き上げる作用力を有し、装置本体１がいずれの高さ位置にあっても、装置本体１の重さと略均衡して吊下げて保持することとなる。【００３０】  すなわち、使用状態を示す図７のように、装置本体１の把持柄９を把持して洗浄ブラシ８を浴槽Ｂの内壁Ｂｂに適当な強さで押圧（矢印Ｘ方向）した状態で、装置本体１を上方向に引き上げるときは、定荷重ばね機構２２の帯板２３が巻取ドラム２４に巻き込まれ、装置本体１を定荷重で保持しながら引き上げられる。また、装置本体１を下方向に引き下げるときは、定荷重ばね機構２２の帯板２３が巻取ドラム２４から引き出され、装置本体１を定荷重で保持しながら引き下げられる。したがって、装置本体１を上下方向（矢印Ｙ方向）に移動させるとき、装置本体１の重さを殆んど感じることなく上下に動かすことができる。【００３１】  また、装置本体１を左右方向（矢印Ｚ方向）に移動させるときには、帯板２３を介して吊下げ装置２は、ケース２１内のローラ２５により摺動抵抗を少なくして横移動自在に移動できるため、装置本体１の重さを殆んど感じることなく左右に動かすことができる。すなわち、装置本体１の洗浄ブラシ８は、浴槽Ｂの内壁Ｂｂ面のいずれの位置にあっても、重さを殆んど感じることなく上下左右に移動させることができ、浴槽Ｂの内壁Ｂｂを洗浄することができる。【００３２】  洗浄ブラシ８を浴槽Ｂの他の内壁Ｂｂあるいは同じ内壁Ｂｂ面で位置を変える場合には、把持柄９を把持したまま装置本体１を、吊下げ装置２の帯板２３が全て巻き込まれた状態（図２に示す状態）まで引き上げた後、再度、吊下げ装置２を任意の内壁Ｂｂに掛けて吊るせばよい。【００３３】  また、装置本体１と吊下げ装置２の結合を解除して分離すれば、装置本体１は単独で使用することができるため、従来の電動式浴槽洗浄装置と同じように浴槽の底面や、他の浴室壁面も洗浄することができるものとなる。
【実施例２】
【００３４】  図８は、本発明に係る電動式浴槽洗浄装置の実施形態の一例を示す一部破断の正面図解図であり、図９は、図８の線Ｖ−Ｖにおける断面図解図である。図１０は、図８および図９に示す電動式浴槽洗浄装置の使用状態を示す斜視図解図である。【００３５】  この実施形態例［実施例２］に係る電動式浴槽洗浄装置は、装置本体の保持手段が、装置本体の重さと略均衡して保持される定荷重ばね機構の具体的構成において、上記本実施形態例［実施例１］と大きく異なる。以下、この点を重点的に説明する。本実施形態例［実施例２］において、［実施例１］と同一ないし略同一の構成のものは、図面上、同符号で表示し、その詳細な説明については省略するものである。【００３６】  この電動式浴槽洗浄装置は、たとえば図８〜図１０に示すように、洗浄手段、駆動手段を含む装置本体１０１と、この装置本体１０１内に収納され、装置本体１０１を押し上げて支える保持手段としての押上げ装置２０１とで構成している。この装置本体１０１には、浴槽Ｂの内壁Ｂｂを押圧して洗浄する洗浄手段と、洗浄手段を回転駆動させる駆動手段と、装置本体１０１を押上げて保持する保持手段を備えている。また、押上げ装置２０１は、下端部を浴槽Ｂの底面Ｂｃに当てた、定荷重ばねの作用により、装置本体１０１を押上げる長さが変わっても装置本体１０１の重さと略均衡して押上げて保持できるように設計されている。【００３７】  装置本体１０１は、円板状の台枠１０３の背面中央部に水密構造体のケース１０４を設け、このケース１０４の内部には、たとえば図９に示すように、駆動源としてのたとえば減速機付のＤＣモータ１０５と、このＤＣモータ１０５を駆動させるための電源である電池１０６を収納している。このＤＣモータ１０５の駆動軸１０５ａは、ケース１０４の内部から水密性を保つオイルシール１０７を介して正面外部に突出している。駆動軸１０５ａの先端部には、この駆動軸１０５ａと同心軸で台枠１０３より大径円板状で回転体の洗浄ブラシ１０８が着脱自在に取り付けられている。この洗浄ブラシ１０８は中心部を空洞とし、最前面に洗浄効果の高い不織布によるブラシ部１０８ａと、中間部に弾力性のあるスポンジ１０８ｂおよび最後面の台板１０８ｃを重ねて同径で貼り合せ、更に、中心部に駆動軸１０５ａと着脱自在（図示せず）に固定するための固定板１０８ｄを設け、一体的に形成したものである。【００３８】  台枠１０３の背面には、斜め後方に伸びた把持柄１０９が設けられている。この把持柄１０９は、内部が空洞の柄パイプ１０９ａの一端が台枠１０３に水密に接続され、他端の先端部は把持可能な把持部１０９ｂに水密に接続されている。この把持部１０９ｂには、ＤＣモータ１０５の駆動を開閉するスイッチ１０９ｃが防水的に取付けられ、柄パイプ１０９ａ内を通して結線されている。【００３９】  また、ケース１０４の内部の下部には、定荷重ばね機構２２２で構成される押上げ装置２０１が収納されている。この定荷重ばね機構２２２は、薄帯状の平板ばねからなる帯板２２３を巻取ドラム２２４に密着して巻き付け、帯板２２３を引出した長さに係らず常に略一定の巻き戻し力を持つ定復元力作用を有している。帯板２２３の長さは、浴槽Ｂの深さに相当する所定の長さに設計されている。【００４０】  帯板２２３には、縦幅の中心線上に所定間隔で連続したスプロケット穴２２３ａを設けている。このスプロケット穴２２３ａと噛合したスプロケットホイール２２５は、スペーサー２２５ｂを介して一体的な歯車２２５ｃとが支軸２２５ａに回転自在に軸支されている。このスプロケットホイール２２５の外周面には等分割で等間隔のピン２２５ｄを設け、このピン２２５ｄがスプロケット穴２２３ａと噛合するようにしている。また、帯板２２３のスプロケット穴２２３ａ面は、スプロケットホイール２２５の外周面がピッチ円上となるように設定されている。さらに、帯板２２３が、このピッチ円上からの外れをガイド片により阻止するようにしている。（図示せず）【００４１】  また、巻取ドラム２２４のドラム外周面上には歯車２２４ａが形成され、スプロケットホイール２２５と同軸上の歯車２２５ｃと噛合している。この歯車２２４ａの歯数と、歯車２２５ｃの歯数の歯数比は、帯板２２３が巻取ドラム２２４に巻き取られた巻直径と、スプロケットホイール２２５のピッチ円直径の直径比が略同じとなるように設定している。ここで、帯板２２３の巻取ドラム２２４への巻き始めの巻直径と巻き終わりの巻直径の直径比の僅かであるが差異を考慮して、スプロケットホイール２２５のピッチ円直径の直径比を巻取ドラム２２４への巻き始めの巻直径に合わせるように設定するとよい。【００４２】  ここで、巻取ドラム２２４と一体的な歯車２２４ａと、スプロケットホイール２２５と一体的に回転する歯車２２５ｃが噛合しているので、帯板２２３のスプロケット穴２２３ａと噛合したピン２２５ｄにより、帯板２２３とスプロケットホイール２２５は連動して相関的に回転し、移動することとなる。したがって、巻取ドラム２２４の回転量に比例して帯板２２３は伸縮し、帯板２２３側から伸縮しても伸縮量に比例して、巻取ドラム２２４は回転させられることとなる。【００４３】  ここで使用する帯板２２３は、薄帯状で直線平面状の平板ばねからなる帯板２２３を巻取ドラム２２４に密着して巻き付けているため、定復元力作用により巻取ドラム２２４は略一定の巻き戻し回転力を有している。したがって、巻取ドラム２２４とスプロケットホイール２２５は、連動して相関的に略一定の回転力で巻き戻されることとなる。したがって、帯板２２３を引出した長さに係らず常に略一定の荷重を保持する定復元力作用を有することとなる。【００４４】  すなわち、巻取ドラム２２４の帯板２２３とスプロケットホイール２２５は歯車結合しているため、巻取ドラム２２４に密着して巻き付けられた帯板２２３が元の状態に戻ろうとする定復元力作用は、すなわち巻取ドラム２２４の巻き戻し回転力であり、一定方向に略一定の回転力が付勢される定トルクばねと同様の作用を成し、巻取ドラム２２４に略一定の回転力が付勢されることとなり、帯板２２３は巻き戻し方向に移動する力が略一定の巻き戻し力を有することとなる。【００４５】  帯板２２３の先端部には、ボールキャスター２２６が二枚のＬ字形の板を背合わせにした当板２２６ａにより固定されている。この当板２２６ａの上端部と帯板２２３は、ケース１０４の下端面から下面外部へ突出し、ボールキャスター２２６の上部がケース１０４の底面に当たり、帯板２２３のそれ以上の巻き込みを阻止している。【００４６】  このボールキャスター２２６は、装置本体１０１の荷重を定荷重ばね機構２２２の帯板２２３を介して、その荷重の反作用により支えている。また、ボールキャスター２２６は、接地面が球状のコロで形成されていることにより、摺動抵抗を少なくして前後、左右自在に移動できる。したがって、装置本体１０１は、浴槽Ｂの内壁Ｂｂのいずれの位置にあっても、重さを殆んど感じることなく上下左右に移動させることができる。【００４７】  帯板２２３の縦幅を横幅方向に湾曲させたものとすれば、帯板２２３の縦方向の屈曲強度を補強でき、装置本体１０１を安定的に移動させることができるものとなる。【００４８】  ケース１０４の内部下面には、左右方向にスライド自在なスライド板２２７が設けられ、前部一端に背面方向へ圧縮ばね２２７ａにより付勢されている。このスライド板２２７の中間部には角孔２２７ｂを設け、この角孔２２７ｂ内を帯板２２３と当板２２６ａが挿通している。角孔２２７ｂの前部には、角孔２２７ｂの内方に向って突起片２２７ｃが設けられている。また、当板２２６ａおよび帯板２２３には両板を貫通した角孔２２６ｂが設けられ、ボールキャスター２２６がケース１０４の底面に当たり、帯板２２３のそれ以上の巻き込みを阻止されている状態のときには、この突起片２２７ｃが角孔２２６ｂに嵌まり込み、帯板２２３の動きを阻止して保持する。【００４９】  また、スライド板２２７の他端部は、ケース１０４の背面から外部へ突出し、解除ボタン２２７ｄを形成している。この解除ボタン２２７ｄを圧縮ばね２２７ａの付勢に抗して前方向へ押したときには、突起片２２７ｃが角孔２２６ｂから外れ、帯板２２３は巻取ドラム２２４の定復元力作用による巻き戻し回転力により、下方向に押出されて略一定の押上げ力を有することとなる。すなわち、装置本体１０１を略一定の荷重で押上げて支える押上げ装置２０１となり、装置本体１０１の重さと略均衡して押上げて保持できる。【００５０】  以下には、本実施形態例に係る電動式浴槽洗浄装置の作用について説明する。
すなわち、本実施形態例［実施例２］では、図８〜１０に示すように、装置本体１０１の把持柄１０９の把持部１０９ｂを把持して、洗浄ブラシ１０８を浴槽Ｂの内壁Ｂｂに当接させながら、装置本体１０１のケース１０４に収納された定荷重ばね機構２２２の帯板２２３が所定の長さを巻き戻されて伸びた状態で、帯板２２３の下端部に取付けたボールキャスター２２６が浴槽Ｂの底面Ｂｃに当たる状態となる。つぎに、把持部１０９ｂのスイッチ１０９ｃをオンとすると、ＤＣモータ１０５が回転を開始し、ＤＣモータ１０５の駆動軸１０５ａに取付けられた洗浄ブラシ１０８の回転が開始する。【００５１】  装置本体１０１は、押上げ装置２０１の定荷重ばね機構２２２の定荷重ばね作用により、装置本体１０１の重さと略均衡して押上げて保持しているため、洗浄ブラシ１０８の位置は内壁Ｂｂ面の任意の位置に当接させてよい。ここで、定荷重ばね機構２２２の帯板２２３は、押出された長さに係らず定荷重で押上げる作用力を有し、装置本体１０１がいずれの高さ位置にあっても、装置本体１０１の重さと略均衡して押上げて保持することとなる。【００５２】  すなわち、使用状態を示す図１０のように、装置本体１０１の把持柄１０９を把持して、洗浄ブラシ１０８を浴槽Ｂの内壁Ｂｂに適当な強さで押圧（矢印Ｘ方向）した状態で、装置本体１０１を上方向に引き上げるときは、定荷重ばね機構２２２の帯板２２３が巻取ドラム２２４に巻き込まれ、装置本体１０１を定荷重で保持しながら引き上げられる。また、装置本体１０１を下方向に引き下げるときは、定荷重ばね機構２２２の帯板２２３が巻取ドラム２２４から引き出され、装置本体１０１を定荷重で保持しながら引き下げられる。したがって、装置本体１０１を上下方向（矢印Ｙ方向）に移動させるとき、装置本体１０１の重さを殆んど感じることなく上下に動かすことができる。【００５３】  また、装置本体１を左右方向（矢印Ｚ方向）に移動させるときには、定荷重ばね機構２２２の帯板２２３を介して押上げ装置２０１は、ボールキャスター２２６により摺動抵抗を少なくして横移動自在に移動できるため、装置本体１０１の重さを殆んど感じることなく左右に動かすことができる。すなわち、装置本体１０１の洗浄ブラシ１０８は、浴槽Ｂの内壁Ｂｂ面のいずれの位置にあっても、重さを殆んど感じることなく上下左右に移動させることができ、浴槽Ｂの内壁Ｂｂを洗浄することができる。
【図面の簡単な説明】
【００５４】
【図１】本発明に係る電動式浴槽洗浄装置の実施形態の一例を示す一部破断の正面図解図である。
【図２】図１の線ＩＩ−ＩＩにおける矢視断面図解図である。
【図３】図１および図２に示す電動式浴槽洗浄装置の把持柄を根元から表示しない状態で示す要部破断の説明図解図で、使用状態を説明する一部破断の正面図解図である。
【図４】図３の線ＩＩＩ−ＩＩＩにおける矢視断面図解図である。
【図５】図１および図２に示す電動式浴槽洗浄装置の把持柄を根元から表示しない状態で示す要部破断の正面図解図である。
【図６】図５の線ＩＶ−ＩＶにおける矢視断面図解図である。
【図７】図１〜図６に示す電動式浴槽洗浄装置の使用状態を示す斜視図解図である。
【図８】本発明に係る電動式浴槽洗浄装置の実施形態の他の例を示す一部破断の正面図解図である。
【図９】図８の線Ｖ−Ｖにおける矢視断面図解図である。
【図１０】図８〜図１０に示す電動式浴槽洗浄装置の使用状態を示す斜視図解図である。
【符号の説明】
【００５５】１    装置本体
２    吊下げ装置
３    台枠
３ａ  保持穴
４    ケース
８    洗浄ブラシ
９    把持柄
９ａ  柄パイプ
９ｂ  把持部
１０  フック機構部
２１  ケース
２２  定荷重ばね機構
２３  帯板
２４  巻取ドラム
２５  ローラ
２６  結合板
２７  ロック機構部
２７ａ  スライド板
２７ｂ  押ボタン
２８    フックばね
Ｂ    浴槽
Ｂａ  上縁面
Ｂｂ  内壁
【図１】
2009119208.tif 000003
【図２】
2009119208.tif 000004
【図３】
2009119208.tif 000005
【図４】
2009119208.tif 000006
【図５】
2009119208.tif 000007
【図６】
2009119208.tif 000008
【図７】
2009119208.tif 000009
【図８】
2009119208.tif 000010
【図９】
2009119208.tif 000011
【図１０】
2009119208.tif 000012